(57)【要約】      （修正有）【課題】多段に積み重ねて組み立てる組立式埋設ボックスにおいて、下段位のボックスベースに対する上段位のボックススラブを正確に位置合わせできる吊り金具を提供する。【解決手段】吊り金具１は、上下段で組み立てる埋設ボックスにおける下段位のボックスベースＢ１の開口部端の内側面に着脱自在に取り付ける取付部２と、開口部の上方に突出して所定の吊下機器Ｃに連繋すると共に、上段に積み重ねるボックススラブの下部内側面を当接させることで、上段ボックススラブを位置決めさせる連繋案内部４とから成り、取付部２に対し鈍角状の折曲角度で連繋案内部４を折曲して所定肉厚、幅員の帯状板材にて一体形成する。取付部２には、取付ネジ１２によってねじ止めさせる取付孔３を開穿し、連繋案内部４には、吊下機器Ｃの吊下フックＦに懸架させる連繋孔５を開穿する。【選択図】図１
0003186436.tif 000002
【実用新案登録請求の範囲】
【請求項１】
上下段で組み立てられるハンドホール・マンホール等の埋設ボックスにおける下段位に位置するボックスベースの開口部端の内側面に着脱自在に取り付けられる取付部と、開口部の上方に突出されていて所定の吊下機器に連繋されると共に、上段に積み重ねられるボックススラブの下部内側面が当接されることで、ボックススラブを位置決めさせる連繋案内部とから成ることを特徴とするハンドホール・マンホール等の組立式埋設ボックス用案内吊り金具。
【請求項２】
取付部、連繋案内部は、取付部に対し所定の鈍角状の折曲角度で連繋案内部が折曲されることで所定肉厚、幅員の帯状板材にて一体形成されてなる請求項１に記載のハンドホール・マンホール等の組立式埋設ボックス用案内吊り金具。
【請求項３】
取付部は、ボックスベースにおける隅角部で面取り処理されることで形成されている面取り部の幅員にほぼ対応した幅員に形成された矩形状を呈し、面取り部に設けたインサート具に取付ネジによってねじ止めされるよう取付孔が開穿されている請求項１または２に記載のハンドホール・マンホール等の組立式埋設ボックス用案内吊り金具。
【請求項４】
連繋案内部は、吊下機器の吊下フックに懸架される連繋孔が開穿されている請求項１乃至３のいずれかに記載のハンドホール・マンホール等の組立式埋設ボックス用案内吊り金具。
【請求項５】
上下段で組み立てられるハンドホール・マンホール等の埋設ボックスにおける下段位に位置するボックスベースの開口部端の内側面に着脱自在に取り付けられる取付部と、開口部の上方に突出されていて所定の吊下機器に連繋されると共に、上段に積み重ねられるボックススラブの下部内側面が当接されることで、ボックススラブを位置決めさせる連繋案内部とから成り、取付部、連繋案内部は、取付部に対し所定の鈍角状の折曲角度で連繋案内部が折曲されることで所定肉厚、幅員の帯状板材にて一体形成されていて、取付部は、ボックスベースにおける隅角部で面取り処理されることで形成されている面取り部の幅員にほぼ対応した幅員に形成された矩形状を呈し、面取り部に取付ネジによってねじ止めされるよう取付孔が開穿されており、連繋案内部は、吊下機器の吊下フックに懸架される連繋孔が開穿されていることを特徴とするハンドホール・マンホール等の組立式埋設ボックス用案内吊り金具。
【考案の詳細な説明】
【技術分野】
【０００１】
この考案は、地中に埋設される各種のケーブル等の配線、配管等を集約し、また分岐するように地中表面に埋設される多段組立構造のハンドホール・マンホール等の埋設ボックスを組立埋設するに際し、下段位のベース等に対して上段位のスラブをその正位置に確実に位置決めさせて簡単に組立施工できるようにしたハンドホール・マンホール等の組立式埋設ボックス用案内吊り金具に関する。
【背景技術】
【０００２】
従来から、この種のハンドホール・マンホール等の埋設ボックスは、埋設場所において、例えば現場でのコンクリート材の打設による施工設置、予め用意された枠材、パネル材等による現場組立による施工設置等によって設けられている。例えば特許文献１の組立式ハンドホールは、底板、側板、天板から成る強化プラスチック製の箱形ハンドホールとなるよう、外側に屈曲する傾斜接合片を備えた所定大きさ毎に規格化された側板組立用プレートを用意し、これの積み重ね枚数の増減設定によって埋設深さに対応調節した側壁を形成して組立できるようにしている。特許文献２のハンドホールは、立方体状に組み立てられて骨格となるフレーム材に底面パネル、側面パネル、上面パネルを取り付けることで組立構成するとする。
【０００３】
ただ、特許文献１の組立式ハンドホールによると、現場における側板組立用プレート相互間の締結作業を必要とし、また、特許文献２のハンドホールによると、同様に現場におけるフレーム材に対する各パネルのねじ止め、リベット止めを必要とし、いずれにしてもそれらの手間が掛かり、面倒である。
【０００４】
これらを解消すべく、工場サイドにおいて所定大きさで予めボックス状に構築されたハンドホールベース、筒状に構築されたハンドホールスラブを用意しておき、現場で掘削された設置穴に先ずベースを吊り下げ載置した後、その上にスラブを吊り下げて位置決めして積み重ねることで組み立てる多段組立式ハンドホールが提案されている。例えば特許文献３のハンドホールにおけるスリーブ管の接続構造や、特許文献４のコンクリート製品の吊り構造等にみられるような据え付け現場で上下方向に沿って多段的にで積み重ねることで組み立てられるようにしたハンドホールである。特許文献３におけるハンドホールは、上下段で積み重ねられる合わせ面に凹凸部を設けて位置合わせができるようにしてあり、特許文献４におけるハンドホールは、上下方向に重ねるときのハンドホールベースの内面角部に形成した面取り部に吊り金具を埋設固定し、この吊り金具によってハンドホールベースを吊り下げ運搬可能としている。
【先行技術文献】
【特許文献】
【０００５】
【特許文献１】特開平１１−２０５９８４号公報
【特許文献２】特開２００５−３００４４号公報
【特許文献３】登録実用新案第３０６４４２０号公報
【特許文献４】登録実用新案第３１１５１８６号公報
【考案の概要】
【考案が解決しようとする課題】
【０００６】
このような多段組立式ハンドホールでは、現場における積み重ね作業によって所定のハンドホールを構築できる反面、特許文献３あるいは特許文献４に示されるいずれの組立式ハンドホールでも、下段位のベース等に対して上段位のスラブを吊り下げて降ろすことで組み立てている。この降ろす際に上下方向で正確に位置合わせさせるには作業員の目視、その位置合わせのための位置決め調整作業を必要とし、しかも位置がずれた状態で積み重ねられてしまうと、その位置ズレ部位の継ぎ目から内部に地下水等が浸入し、内部収納機器類を損傷させる虞がある。また、継ぎ目には内部への地下水等の浸入を防止する止水処理として上下の合わせ面相互間に止水テープ等を介装する場合があり、この止水テープを介装するときには確実に介装させるために止水テープは粘着性あるものとしてある。ところが、この粘着性ある止水テープは、ベース上に積み重ねられる上段位のスラブを積み重ねる作業に際し、位置ズレがある儘で載置されると、その粘着性によってベース、スラブ相互間での取り外しが困難となり、位置ズレの矯正が面倒となる事態が生じる。
【０００７】
そこでこの考案は上述したような従来存した諸事情に鑑み案出されたもので、その目的は多段的に積み重ね状にして組み立てられるとき、下段位のハンドホールベースの如きボックスベースに対する上段位のハンドホールスラブの如きボックススラブ等を正確に位置合わせでき、例えば設置済みのベース等の上に吊り下げ載置するスラブ等をそのまま吊り下げて降ろすだけで位置合わせでき、設置組立作業を迅速に遂行できるようにしたハンドホール・マンホール等の組立式埋設ボックス用案内吊り金具を提供することにある。
【課題を解決するための手段】
【０００８】
上述した課題を解決するため、この考案にあっては、後述する考案を実施するための形態における使用符号を付記して説明すると、上下段で組み立てられるハンドホール・マンホール等の埋設ボックスＢにおける下段位に位置するボックスベースＢ１の開口部端の内側面に着脱自在に取り付けられる取付部２と、開口部の上方に突出されていて所定の吊下機器Ｃに連繋されると共に、上段に積み重ねられるボックススラブＢ２の下部内側面が当接されることで、ボックススラブＢ２を位置決めさせる連繋案内部４とから成ることを特徴とする。
取付部２、連繋案内部４は、取付部２に対し所定の鈍角状の折曲角度で連繋案内部４が折曲されることで所定肉厚、幅員の帯状板材にて一体形成されてなるものとして構成することができる。
取付部２は、ボックスベースＢ１における隅角部で面取り処理されることで形成されている面取り部の幅員にほぼ対応した幅員に形成された矩形状を呈し、面取り部に設けたインサート具１１に取付ネジ１２によってねじ止めされるよう取付孔３が開穿されているものとして構成することができる。
連繋案内部４は、吊下機器Ｃの吊下フックＦに懸架される連繋孔５が開穿されているものとして構成することができる。
【０００９】
以上のように構成されたこの考案に係るハンドホール・マンホール等の組立式埋設ボックス用案内吊り金具にあって、取付部２によって下段位のボックスベースＢ１に取り付けたときに上方に突出して内方側に傾斜している連繋案内部４は、吊り下げられて降ろされる上段位のボックススラブＢ２の下部内側面に当接し、このボックススラブＢ２を案内させることでボックスベースＢ１上に位置ズレを生じさせることなく所定位置に確実に載置させる。
取付部２に対して鈍角状に折曲されている連繋案内部４は、これの上端にボックススラブＢ２が当接されるときには、その傾斜面に沿ってボックススラブＢ２を案内させ、載置後のボックススラブＢ２とボックスベースＢ１との内側面を面一状に設定させる。
取付部２の取付孔３は、取付ネジ１２によってボックスベースＢ１に取付部２を着脱自在に取り付けさせ、連繋案内部４の連繋孔５は、吊下機器Ｃに確実に連繋させて吊り下げさせ、これらは一体形成であることで、この考案案内吊り金具１を介してのボックスベースＢ１の荷重を十分に支持させる。
【考案の効果】
【００１０】
この考案は以上説明したように構成されているため、多段的に積み重ね状にして組み立てられるとき、下段位のハンドホールベースの如きボックスベースＢ１に対する上段位のハンドホールスラブの如きボックススラブＢ２等を吊り下げて載置させるとき、連繋案内部４に合わせて降ろすことで正確に位置合わせできる。すなわち、設置済みのベース（Ｂ１）等の上に吊り下げ載置するスラブ（Ｂ２）等をそのまま吊り下げて降ろすだけで位置合わせでき、設置組立作業を迅速に遂行でき、従来であれば例えば粘着性ある止水テープＴによる接着で位置ズレがあったときの矯正が困難であったことを解消でき、無駄な作業を実施せずに済む。
【００１１】
すなわち、これはこの考案に係る案内吊り金具１において、多段組立式の埋設ボックスＢにおける下段位のボックスベースＢ１の開口部端の内側面に着脱自在に取り付けられる取付部２と、開口部の上方に突出されていて所定の吊下機器Ｃに連繋されると共に、上段位のボックススラブＢ２の下部内側面が当接されることで、ボックススラブＢ２を位置決めさせる連繋案内部４とから成るからである。これにより、上段位のボックススラブＢ２を吊り下げて降ろすときには半ば自動調整される位置決めが可能となるから、位置決め調整のための作業員を不要とし、また安全に施工でき、位置ズレ矯正作業も不要となる等の作業能率を向上できる。
【００１２】
また、連繋案内部４は取付部２に対してボックスベースＢ１の内方側に傾斜するよう鈍角状で折曲形成されているから、取付部２によってボックスベースＢ１の開口部端に取り付けられとき、上方から降ろされるボックススラブＢ２の下部内側面が連繋案内部４に当接されるとボックススラブＢ２を外方側に規制しながら案内下降させ、ボックスベースＢ１、ボックススラブＢ２の内側面それぞれを面一状に揃える状態で位置決めさせる。
【００１３】
取付部２の取付孔３によってボックスベースＢ１の内側面に取付ネジ１２によって取り付けさせ、連繋案内部４の連繋孔５によって吊下機器Ｃの吊下フックＦ等に連繋して吊り下げさせるのであり、取付部２、連繋案内部４の一体構成から成る案内吊り金具１によって、吊り下げたボックスベースＢ１等の荷重を十分に支持できる。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案を実施するための一形態を示す一部拡大図を含む使用状態の一部省略の斜視図である。
【図２】同じく下段位のボックスベース上に上段位のボックススラブが降ろされて載置され、組み立てられるときの要部断面図である。
【図３】同じくボックスベース上にボックススラブが降ろされるときの位置矯正作用を説明する概要断面図である。
【図４】同じく下段位のボックスベース上に上段位のボックススラブを接合固定するときの連繋金具の取付状態を示す斜視図である。
【図５】同じく組立後の埋設ボックスの斜視図である。
【考案を実施するための形態】
【００１６】
以下、図面を参照してこの考案を実施するための一形態を説明すると、図において示される符号１はこの考案に係る案内吊り金具であり、この案内吊り金具１は、据え付け設置される埋設場所で多段式に積み重ねて組み立てられることで埋設される所定のハンドホール・マンホール等の埋設ボックスＢにおける下段位の、例えばほぼボックス状のハンドホールベースの如きボックスベースＢ１の開口部端の内側面に上方に突出された状態で取り付けられる。
【００１７】
案内吊り金具１自体は、ボックスベースＢ１における開口部端、例えばこのボックスベースＢ１が平面で矩形状を呈するように構枠されている場合にはその四隅の隅角部の内側面に取り付けられるようになっている。すなわち、下段位に位置するボックスベースＢ１の開口部端の内側面に着脱自在に取り付けられる取付部２と、開口部の上方に突出されていて所定の吊下機器Ｃに連繋されると共に、上段に積み重ねられる例えばほぼ筒状のハンドホールスラブの如きボックススラブＢ２の下部内側面が当接されることで、ボックススラブＢ２を位置決めさせる連繋案内部４とから成る。そして、これらの取付部２、連繋案内部４は、ボックスベースＢ１に取り付けられたときに連繋案内部４がボックスベースＢ１の内方側に傾斜するように取付部２に対して所定の鈍角状の折曲角度、例えば１４０°で連繋案内部４が折曲されて成ることで、所定肉厚、幅員の帯状板材にて一体形成されている。
【００１８】
取付部２は、ボックスベースＢ１における隅角部の内側で面取り処理されることで形成されている面取り部の幅員にほぼ対応した幅員に形成された矩形状を呈し、面取り部に例えば埋設固定されている雌ネジを有するインサート具１１に取付ネジ１２によってねじ止めされるよう取付孔３が開穿されている。
【００１９】
また、連繋案内部４は、取付部２によって案内吊り金具１自体がボックスベースＢ１に取り付けられたとき、ボックスベースＢ１の上方に突出するようになっており、ボックスベースＢ１を所定の埋設場所に吊り下げるときのクレーン等の吊下機器Ｃの吊下フックＦに懸架されるよう長孔状の連繋孔５が開穿されている。
【００２０】
尚、図示例にあってのボックスベースＢ１、ボックススラブＢ２は、平面でほぼ正方形状に形成されたボックス状あるいは筒状に形成されているも、内部に収納する機器類、その収納設置形態等に応じて平面でほぼ長方形状、円形状に形成されることもある。また、下段位のボックスベースＢ１の開口部上端面には、開口部を囲繞するように浅底状の止水テープ収納溝１３が形成されており、表面が被接着処理されている弾性ある所定肉厚の止水テープＴが密着状態で収納保持されるようになっている。
【００２１】
いずれの場合でも下段位に位置するボックスベースＢ１等に対して上段位に位置するボックススラブＢ２等が積み重ねられて載置されるときに、案内吊り金具１自体は、下段位のボックスベースＢ１に対して上段位のボックススラブＢ２を所定位置に位置決めさせるよう連繋案内部４によって案内させるのであり（図３参照）、その案内時ではいずれの方向に対しても位置ズレが生じないような位置、数でボックスベースＢ１に取り付けられる。例えば平面で矩形状に形成されているのであれば、少なくともその四隅の隅角部に取り付けられ、円形状であれば等間隔にして少なくとも３ヶ所、あるいはそれ以上で取り付けられる。
【００２２】
次にこれの使用の一例を説明すると、埋設すべき据え付け場所で埋設穴を掘削する一方、下段位のボックス状のボックスベースＢ１の四隅に取付部２、取付ネジ１２によってこの考案に係る案内吊り金具１を、連繋案内部４をボックスベースＢ１の内方側に傾斜させた状態で突出状に取り付け、所定の吊下機器Ｃの吊下フックＦに懸架する連繋案内部４によってボックスベースＢ１を吊り下げ支持する（図１参照）。吊下機器Ｃの操作によって埋設穴内にボックスベースＢ１を据え付けた後は吊下フックＦを取り外し、開口部周囲を囲繞するように止水テープ収納溝１３に所定の止水テープＴを貼付する。次いで、上段位のボックススラブＢ２を同様にして吊り下げてボックスベースＢ１上に降ろすのであり、降ろすときには、ボックススラブＢ２の下部における内側面が連繋案内部４に当接することで、連繋案内部４面に沿って下降する（図２参照）。下降時には、ボックススラブＢ２の下部が連繋案内部４面に沿って摺接することで（図３参照）、ボックスベースＢ１とボックススラブＢ２との内側面同士は上下方向で面一状となり、正確に位置決めされる。
【００２３】
その後は、この考案に係る案内吊り金具１を取り外し、上下段のボックスベースＢ１、ボックススラブＢ２同士を連繋金具２０によってねじ止め連繋する（図４参照）。更に、ボックススラブＢ２上には出入口用の縁塊Ｂ３を取り付けてハンドホール（Ｂ）として完成する。
【００２４】
尚、図示を省略したが、図示の埋設ボックスＢ自体は、２段構成のものとしてあるも、これを３段以上の多段構成とすることも可能であり、高さ調整部材（図示せず）等についても同様に案内吊り金具１を取り付け、その載置後では取り外して連繋金具２０にて同様に接合し組立てれば良い。
【符号の説明】
【００２５】
Ｂ…埋設ボックス                        Ｂ１…ボックスベース
Ｂ２…ボックススラブ                    Ｂ３…縁塊
Ｃ…吊下機器                            Ｆ…吊下フック
Ｔ…止水テープ
１…案内吊り金具                        ２…取付部
３…取付孔                              ４…連繋案内部
５…連繋孔
１１…インサート具                      １２…取付ネジ
１３…止水テープ収納溝
２０…連繋金具
【図１】
0003186436.tif 000003
【図２】
0003186436.tif 000004
【図３】
0003186436.tif 000005
【図４】
0003186436.tif 000006
【図５】
0003186436.tif 000007